(57)【要約】【課題】投影画像以外の画像を選択して印刷することができる印刷機能付きプロジェクタを提供する。【解決手段】画像データを印刷する印刷部１２と、画像データを投影面に投影する投影部１１を有する印刷機能付きプロジェクタにおいて、外部から入力される画像データを取得する外部データ入力手段と、前記外部データ入力手段が取得した画像データを保存する記憶部２０と、記憶部２０に保存された画像データを、１つずつ表示する表示部１０を有し、ユーザが表示部１０に表示された画像データを選択することにより、この選択された画像データを印刷部１２に出力して印刷する。なお、記憶部２０に保存された１又は複数の画像データを、投影面にサムネイル表示し、このサムネイル表示されたいずれか１の画像データを表示部１０に表示してもよい。【選択図】図２
2008275714.tif 000002
【特許請求の範囲】
【請求項１】
画像データを印刷する印刷部と、画像データを投影面に投影する投影部を有する印刷機能付きプロジェクタにおいて、
外部から入力される画像データを取得する外部データ入力手段と、
前記外部データ入力手段が取得した画像データを保存する記憶部と、
前記記憶部に保存された画像データを、画像処理して印刷部又は投影部に出力する画像処理部と、
前記記憶部に保存された画像データを、所定の方法で表示する表示部を有し、
ユーザが前記表示部に表示された画像データを選択することにより、この選択された画像データを、前記画像処理部で画像処理した後に印刷部に出力して印刷することを特徴とする印刷機能付きプロジェクタ。
【請求項２】
画像データの印刷プレビューを表示部に表示することを特徴とする請求項１又に記載の印刷機能付きプロジェクタ。
【請求項３】
投影画像と異なる画像データを表示部に表示することを特徴とする請求項１又は請求項２のいずれかに記載の印刷機能付きプロジェクタ。
【請求項４】
記憶部に保存された１又は複数の画像データを、投影面にサムネイル表示し、このサムネイル表示されたいずれか１の画像データを表示部に表示することを特徴とする請求項１又は請求項２のいずれかに記載の印刷機能付きプロジェクタ。
【請求項５】
表示部を、プロジェクタ本体を遠隔操作するリモートコントローラに設けたことを特徴とする請求項１〜請求項４のいずれかに記載の印刷機能付きプロジェクタ。
【発明の詳細な説明】
【技術分野】
【０００１】
本発明は、投影画像以外の画像を選択して印刷することができる印刷機能付きプロジェクタに関するものである。
【背景技術】
【０００２】
従来から特許文献１に示されるような、印刷機能付きプロジェクタが提案されている。この印刷機能付きプロジェクタは、画像の投影時に、ユーザがリモコンを用いて画像を印刷する指示をするだけで、投影画像と同じ画像を簡単に印刷することを可能としたものである。
【０００３】
しかしながら、投影されている画像しか印刷することができないため、投影画像を変えずに、所望の画像を印刷することができず、不便であるという問題があった。
【特許文献１】特開２００６−２４３６７２号公報
【発明の開示】
【発明が解決しようとする課題】
【０００４】
投影画像以外の画像を選択して印刷することができる印刷機能付きプロジェクタを提供する。
【課題を解決するための手段】
【０００５】
上記課題を解決するためになされた請求項１に記載の発明は、画像データを印刷する印刷部と、画像データを投影面に投影する投影部を有する印刷機能付きプロジェクタにおいて、
外部から入力される画像データを取得する外部データ入力手段と、
前記外部データ入力手段が取得した画像データを保存する記憶部と、
前記記憶部に保存された画像データを、画像処理して印刷部又は投影部に出力する画像処理部と、
前記記憶部に保存された画像データを、所定の方法で表示する表示部を有し、
ユーザが前記表示部に表示された画像データを選択することにより、この選択された画像データを、前記画像処理部で画像処理した後に印刷部に出力して印刷することを特徴とする。
【０００６】
また、請求項２に記載の発明は、画像データの印刷プレビューを表示部に表示することを特徴とする。
【０００７】
また、請求項３に記載の発明は、投影画像と異なる画像データを表示部に表示することを特徴とする。
【０００８】
また、請求項４に記載の発明は、記憶部に保存された１又は複数の画像データを、投影面にサムネイル表示し、このサムネイル表示されたいずれか１の画像データを表示部に表示することを特徴とする。
【０００９】
また、請求項５に記載の発明は、表示部を、プロジェクタ本体を遠隔操作するリモートコントローラに設けたことを特徴とする。
【発明の効果】
【００１０】
請求項１に記載の発明によれば、画像データを印刷する印刷部と、画像データを投影面に投影する投影部を有する印刷機能付きプロジェクタにおいて、外部から入力される画像データを取得する外部データ入力手段と、前記外部データ入力手段が取得した画像データを保存する記憶部と、前記記憶部に保存された画像データを、画像処理して印刷部又は投影部に出力する画像処理部と、前記記憶部に保存された画像データを、所定の方法で表示する表示部を有し、ユーザが前記表示部に表示された画像データを選択することにより、この選択された画像データを、前記画像処理部で画像処理した後に印刷部に出力して印刷することとしたので、投影画像を変えずに、所望の画像を選択して印刷することが可能となる。
【００１１】
また、請求項２に記載の発明によれば、画像データの印刷プレビューを表示部に表示するので、投影画像を変えずに、印刷前に表示部に表示された印刷プレビューを見て、確認してから印刷することができ便利である。
【００１２】
また、請求項３に記載の発明によれば、投影画像と異なる画像データを表示部に表示するので、投影画像以外の所望の画像を選択して印刷することが可能となる。
【００１３】
また、請求項４に記載の発明によれば、記憶部に保存された１又は複数の画像データを、投影面にサムネイル表示するので、ユーザが画像データの内容を確認することが容易となる。また、サムネイル表示されたいずれか１の画像データを表示部に表示するので、表示部の解像度が低い場合であっても見やすい。
【００１４】
また、請求項５に記載の発明によれば、表示部を、プロジェクタ本体を遠隔操作するリモートコントローラに設けるので、ユーザは、リモートコントローラに設けられた表示部を見ながら操作することができ、操作性を向上させることが可能となる。
【発明を実施するための最良の形態】
【００１５】
（本発明の構成）
以下に、図面を参照しつつ本発明の好ましい実施の形態を示す。図１は本発明の実施の形態を示すプロジェクタの斜視図である。図１において、１は本発明の印刷機能付きプロジェクタ本体である。１０は印刷機能付きプロジェクタ本体１に設けられた表示部である。表示部１０は、本実施形態では、ＬＣＤ（Ｌｉｑｕｉｄ  Ｃｌｙｓｔａｌ  Ｄｉｓｐｌａｙの略、液晶表示素子）であるが、ＰＤＰ（Ｐｌａｓｍａ  Ｄｉｓｐｌｙ  Ｐａｎｅｌの略、プラズマディスプレー）や有機ＥＬ等であっても差し支えない。表示部１０には、印刷機能付きプロジェクタ本体１の各種設定情報や後述する印刷対象画像９２等が表示されるようになっている。
【００１６】
１１は印刷機能付きプロジェクタ本体１に設けられた投影部である。この投影部１１は主に、光源、照明光学系、ＬＣＤ、レンズとから構成されている。投影部１１は、スクリーン等の投影面８０に投影画像９１として投影する。１２は印刷部であり、紙に画像を印刷するものである。
【００１７】
１３は操作パネルであり、本発明の印刷機能付きプロジェクタ本体１を、操作したり、各種設定したりするものである。３０はリモートコントローラであり、印刷機能付きプロジェクタ本体１を遠隔操作するものである。
【００１８】
図２に、本発明の印刷機能付きプロジェクタのブロック図を示す。１５は投影画像入力部であり、外部から送信される送信データを受信して、この送信データに含まれる「画像データ」を取得するためのものである。この投影画像入力部１５のインターフェースとして、ＶＧＡ（Ｖｉｄｅｏ  Ｇｒａｐｈｉｃｓ  Ａｒｒａｙの略）や、ＬＡＮ（Ｌｏｃａｌ  Ａｒｅａ  Ｎｅｔｗｏｒｋの略）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２、電話回線その他通信インターフェースを含めることができる。あるいは投影画像入力部１５として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。この投影画像入力部１５により、コンピュータ装置５０、デジタルカメラ、ＦＡＸ、スキャナー等から出力される「画像データ」を取得する。なお、コンピュータ装置５０には、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等が含まれる。
【００１９】
なお、「画像データ」のフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等の画像ファイルや、オペレーティングシステムの表示画面、ビジネスソフトやグラフィカルソフトのファイル形式も含まれる。
【００２０】
１６は外部記憶接続部であり、この外部記憶接続部１６に、外部より「記憶媒体」を接続することにより、「記憶媒体」に保存されている「画像データ」を取得するようになっている。なお、「記憶媒体」には、コンパクトフラッシュ（登録商標）、ＭＭＣ５１（マルチメディアカード）、ＳＤメモリーカード５２（登録商標）、メモリースティック（登録商標）等の不揮発性メモリーや、ＣＤ（Ｃｏｍｐａｃｔ  Ｄｉｓｃの略、コンパクトディスク）、ＤＶＤ（Ｄｉｇｉｔａｌ  Ｖｅｒｓａｔｉｌｅ  Ｄｉｓｃの略、デジタル多用途ディスク）、フロッピー（登録商標）ディスク、ＭＯ（Ｍａｇｎｅｔｏ  Ｏｐｔｉｃａｌ  Ｄｉｓｃの略、光磁気ディスク）等のリムーバブルディスクを含めることができ、外部記憶接続部１６は、これらの「記憶媒体」に対応したインターフェースとなっている。また、外部記憶接続部１６から、前記「記憶媒体」に「画像データ」を保存することもできるようになっている。
【００２１】
なお、本発明の印刷機能付きプロジェクタ本体１は、投影画像入力部１５及び外部記憶接続部１６のどちらか１つの外部データ入力手段だけを備えた構成であっても差し支えない。
【００２２】
１７はＣＰＵ（Ｃｅｎｔｒａｌ  Ｐｒｏｃｅｓｓｉｎｇ  Ｕｎｉｔの略）であり、１８はＲＡＭ（Ｒａｎｄｏｍ  Ａｃｃｅｓｓ  Ｍｅｍｏｒｙの略）、１９はＲＯＭ（Ｒｅａｄ  Ｏｎｌｙ  Ｍｅｍｏｒｙの略）である。ＣＰＵ１７は、ＲＡＭ１８、ＲＯＭ１９と協動して、各種演算、処理をする。ＲＡＭ１８は、ＣＰＵ１７が処理するデータを一時的に保存するものである。
【００２３】
ＲＯＭ１９には、本発明の印刷機能付きプロジェクタ本体１を制御するためのアプリケーションソフトが保存されている。これらのアプリケーションソフトを、ＣＰＵ１７で処理することにより、各種機能を実現している。
【００２４】
２０は記憶部でありハードディスクや不揮発性メモリー等により構成されている。記憶部２０は、印刷機能付きプロジェクタ本体１の各種設定情報や「画像データ」等を保存するものである。投影画像入力部１５や外部記憶接続部１６の「外部データ入力手段」が取得した「画像データ」は、記憶部２０に保存されるようになっている。
【００２５】
２１は画像処理部である。画像処理部２１は、２つの機能を持っている。１つは、投影画像入力部１５や外部記憶接続部１６から入力された「画像データ」を、必要に応じてシャープネス補正、ガンマ補正、コントラスト補正、ホワイトバランス補正、歪み補正、台形補正等の投影用の画像処理を行い、投影部１０に出力する機能である。もう１つは、投影画像入力部１５や外部記憶接続部１６が取得した「画像データ」を、必要に応じてシャープネス補正、ガンマ補正、コントラスト補正、色変換（RGB→CMYK）、画像拡大縮小、階調変換（２値化）等の印刷用の画像処理を行い「印刷イメージ」を生成し、印刷部１２に出力する機能である。なお、画像処理部２１は、ＲＯＭ１９に保存されたアプリケーションソフトが、ＣＰＵ１７で処理されることにより実現している。また、ＡＳＩＣ（ＡＰＰＬＩＣＡＴＩＯＮＳｐｅｃｉｆｉｃ Ｉｎｔｅｇｒａｔｅｄ Ｃｉｒｃｕｉｔ）として実現してもよい。
【００２６】
図３にリモートコントローラ３０の斜視図を示す。また、リモートコントローラ３０は、図２の印刷機能付きプロジェクタのブロック図で示すように、主にＣＰＵ３１、ＲＯＭ３２、ＲＡＭ３３、記憶部３４、表示部３６、操作ボタン３７、赤外線受信部３８、赤外線送信部３９から構成されている。
【００２７】
ＣＰＵ３１は、ＲＯＭ３２、ＲＡＭ３３と協動して、各種演算、処理をするものである。ＲＡＭ３３は、ＣＰＵ３１が処理するデータを一時的に保存するものである。
【００２８】
ＲＯＭ３２には、リモートコントローラ３０を制御するためのアプリケーションソフトが保存されている。このアプリケーションソフトは、ＣＰＵ３１で処理することにより、各種機能を実現している。
【００２９】
記憶部３４は、ハードディスクや不揮発性メモリーにより構成されていて、リモートコントローラ３０の各種設定情報や「画像データ」等を保存するものである。
【００３０】
表示部３６は、ＬＣＤやＰＤＰ、有機ＥＬ等で構成され、各種設定情報や「画像データ」等を表示するものである。
【００３１】
操作ボタン３７は、ユーザが操作することにより、本発明の印刷機能付きプロジェクタ本体１を、操作したり、各種設定等を行うことができるものである。
【００３２】
リモートコントローラ３０の赤外線受信部３８と赤外線送信部３９はそれぞれ、印刷機能付きプロジェクタ本体１に設けられた赤外線送信部２６及び赤外線受信部２７と、赤外線で通信するものである。
【００３３】
（印刷機能付きプロジェクタ本体１とリモートコントローラ３０間のデータの送信について）
図４に、印刷機能付きプロジェクタ本体１とリモートコントローラ３０とのデータの送受信の説明図を示す。印刷機能付きプロジェクタ本体１とリモートコントローラ３０間で送受信されるデータは、図４の（データフォーマット）に示されるように、ＳＲＣ、ＤＥＳＴ、ＳＩＤ、ＦＩＤ、ＣＯＤＥ、ＤＡＴＡから構成されている。
【００３４】
ＳＲＣは、送信元機器のＩＤであり、送信元機器を識別するためのデータである。
ＤＥＳＴは、送信先機器のＩＤであり、送信先機器を識別するためのデータである。
ＳＩＤは、セッションＩＤであり、セッションを識別するためのＩＤである。
ＦＩＤは、データのフレーム番号であり、フレームの順番を示し、送信先機器がこのフレーム番号に基づいて、受信したフレームを順番に並び替えて、データを生成するようになっている。
ＣＯＤＥは、ＣＯＤＥ番号であり、図４の（ＣＯＤＥ一覧に）に示されるように、ＣＯＤＥ番号は、それぞれの番号の内容と対応している。
ＤＡＴＡは、印刷機能付きプロジェクタ本体１とリモートコントローラ３０間で送受信されるデータをフレームに分割したものである。印刷機能付きプロジェクタ本体１とリモートコントローラ３０間で送受信されるデータは、「画像データ」等である。
【００３５】
次に、図４の（メッセジフロー）について説明をする。送信側をＡとし、受信側をＢとして以下説明をする。
（１）送信開始で、ＡからＢに送信されるデータ（１）は、ＳＲＣが「Ａ」であり、送信元機器がＡであることを示している。また、ＳＩＤは「１」であり、セッションＩＤが「１」であることを示している。また、ＣＯＤＥ番号は「１」であり、「送信開始」を示している。この時、Ａは、赤外線通信可能な不特定多数の機器に、データ（１）を送信するため、送信先機器を示すＤＳＴには特に値を設定しない。
【００３６】
Ｂは、（１）のデータを受信すると、「（２）受信開始」をＡに送信する。（２）のデータは、ＳＲＣが「Ｂ」であり、送信元機器がＢであることを示している。また、ＤＩＳＴは「Ａ」であり、送信先機器がＡであることを示している。ＳＩＤは「１」であり、セッションＩＤが「１」であることを示している。また、ＣＯＤＥ番号は「３」であり、「受信開始」を示している。ここで、Ａがデータ（１）を不特定多数に送信した結果、Ｂ以外の機器からも受信開始のデータを受信した場合、Ａは受信開始のデータを送信した機器から何れか１つを選択し、以降の通信を続ける。機器の選択方法としては、例えば、Ａが最初に受信した、受信開始のデータを送信した機器を選択する等がある。
【００３７】
Ａが（２）のデータを受信すると、セッションが確立し、Ａは「（３）データ送信開始」のデータをＢに送信する。（３）のデータは、ＳＲＣが「Ａ」であり、送信元機器がＡであることを示している。また、ＤＩＳＴは「Ｂ」であり、送信先機器がＢであることを示している。ＳＩＤは「１」であり、セッションＩＤが「１」であることを示している。また、ＣＯＤＥ番号は「５」であり、「データ送信開始」を示している。
【００３８】
Ａが「（３）データ送信開始」のデータをＢに送信した後に、ＡはＢに「（４）データ送信」のデータを送信する。（４）のデータは、ＳＲＣが「Ａ」であり、送信元機器がＡであることを示している。また、ＤＩＳＴは「Ｂ」であり、送信先機器がＢであることを示している。ＳＩＤは「１」であり、セッションＩＤが「１」であることを示している。また、ＦＩＤは「１」であり、送信されるフレームのフレーム番号が１番目であることを示していて、このフレーム番号に対応するフレーム「ｄａｔａ１」が送信される。また、ＣＯＤＥ番号は「６」であり、「データ送信」を示している。
【００３９】
ＡからＢに順次フレーム（ｄａｔａ１〜ｄｅｔａＮ）を送信する
【００４０】
最後のフレーム（ｄｅｔａＮ）を含む「（５）データ送信」のデータの送信が完了すると、ＡはＢに「（６）データ送信終了」のデータを送信する。（６）のデータは、ＳＲＣが「Ａ」であり、送信元機器がＡであることを示している。また、ＤＩＳＴは「Ｂ」であり、送信先機器がＢであることを示している。ＳＩＤは「１」であり、セッションＩＤが「１」であることを示している。また、ＣＯＤＥ番号は「７」であり、「データ送信終了」を示している。
【００４１】
ＢがＡから（６）のデータを受信すると、ＢはＡに「（７）受信正否通知」のデータを送信する。（７）のデータは、ＳＲＣが「Ｂ」であり、送信元機器がＢであることを示している。また、ＤＩＳＴは「Ａ」であり、送信先機器がＡであることを示している。ＳＩＤは「１」であり、セッションＩＤが「１」であることを示している。また、ＣＯＤＥ番号は「８」であり、「データ受信正否通知」を示している。ＢがＡから送信される全てのフレームを受信したと判断した場合には、（７）のＤＡＴＡには「成功」のメッセージが格納されて、Ａに送信される。一方で、ＢがＡから送信される全てのフレームを受信していない判断した場合には、（７）のＤＡＴＡには「失敗」のメッセージ及び受信していないフレーム番号が格納されて、Ａに送信され、Ｂに再度フレームを送信するように要求する。
【００４２】
Ａが「成功」のメッセージがＤＡＴＡに格納された（７）のデータを受信した場合には、「（８）送信終了」のデータをＢに送信する。（８）のデータは、ＳＲＣが「Ａ」であり、送信元機器がＡであることを示している。また、ＤＩＳＴは「Ｂ」であり、送信先機器がＢであることを示している。ＳＩＤは「１」であり、セッションＩＤが「１」であることを示している。また、ＣＯＤＥ番号は「２」であり、「送信終了」を示している。
【００４３】
Ｂが（８）のデータを受信した場合には、ＢはＡに「（９）受信終了」のデータを送信する。（９）のデータは、ＳＲＣが「Ｂ」であり、送信元機器がＢであることを示している。また、ＤＩＳＴは「Ａ」であり、送信先機器がＡであることを示している。ＳＩＤは「１」であり、セッションＩＤが「１」であることを示している。また、ＣＯＤＥ番号は「４」であり、「受信終了」を示している。Ａが（９）のデータを受信すると、ＡとＢの間のデータ通信が終了する。
【００４４】
（第１の実施形態）
図５に第１の実施形態の説明図を示し、図６に第１の実施形態のフロー図を示し、以下、第１の実施形態について説明をする。この第１の実施形態は、印刷候補を投影部８０に投影し、印刷対象を表示部１０、３６に表示する実施形態であり、投影部８０に表示されている投影画像９１とは関係なく、表示部１０、３６に表示されている「画像データ」を印刷する実施形態である。言い換えると、この第１の実施形態は、投影画像９１と異なる「画像データ」を表示部１０、３６に表示し、この「画像データ」をユーザが選択して印刷する実施形態である。
【００４５】
図６において、印刷候補を投影し、印刷対象を表示部に表示する処理が開始すると、Ｓ１「画像データを取得する」の処理で、画像処理部２１は、記憶部２０に保存された「画像データ」を取得する。Ｓ１の処理が終了すると、Ｓ２「画像データを投影用画像データに画像処理する」の処理に進む。
【００４６】
Ｓ２の処理において、画像処理部２１は、「画像データ」を、歪み補正等の画像処理をして、「投影用画像データ」を生成する。Ｓ２の処理が終了するとＳ３「投影用画像データを投影する」の処理に進む。
【００４７】
Ｓ３の処理において、画像処理部２１は、「投影用画像データ」を、投影部１１に出力し、投影面８０に投影画像９１として投影する。Ｓ３の処理が終了すると、Ｓ４「印刷対象を表示部に表示」の処理に進む。
【００４８】
図７にＳ４「印刷対象を表示部に表示」の処理を詳細に説明するフロー図を示す。
【００４９】
Ｓ４の印刷対象を表示部に表示する処理が開始すると、Ｓ４１「記憶部から画像データを取得」の処理に進む。Ｓ４１の処理において、画像処理部２１は、印刷対象画像９２として記憶部２０に保存された「画像データ」を１つ取得する。この「画像データ」は、最初に投影面８０に投影されている「画像データ」と同一の「画像データ」である。Ｓ４１の処理が終了すると、Ｓ４２「表示部のサイズに合わせて縮小画像を生成」の処理に進む。
【００５０】
Ｓ４２の処理において、画像処理部２１は、表示部１０、３６のサイズにあわせて「画像データ」を縮小処理して、「縮小画像」を生成する。具体的には、表示部１０、３６の縦横それぞれの画素数に合わせて「画像データ」を縮小処理する。Ｓ４２の処理が終了すると、Ｓ４３「表示部に縮小画像を表示」の処理に進む。
【００５１】
Ｓ４３の処理において、画像処理部２１は、「縮小画像」を表示部１０、３６に出力して、「縮小画像」を表示部１０、３６で表示させる。Ｓ４３の処理が終了すると、Ｓ４の処理が終了し、図６のＳ５「印刷ボタン押下」の操作に進む。
【００５２】
Ｓ５の操作において、ユーザが、操作パネル１３もしくは操作ボタン３７（以下「操作部」とする。表示部１０、３６がタッチパネル式である場合には、「操作部」には、表示部１０、３６が含まれる）に設けられた「印刷ボタン」を押下した場合には、Ｓ１０「印刷画像を生成」の処理に進む。一方で、ユーザが、「印刷ボタン」を押下しない場合には、Ｓ６「印刷キャンセルボタン」押下の操作に進む。
【００５３】
Ｓ６の操作で、ユーザが、「操作部」に設けられた「印刷キャンセルボタン」を押下した場合には、Ｓ９「キャンセル終了」に進み、印刷処理が終了する。一方で、ユーザが「印刷キャンセルボタン」を押下しない場合には、Ｓ７「印刷対象画像変更」の操作に進む。
【００５４】
Ｓ７の操作において、ユーザが、印刷対象画像９２を変更するために「操作部」に設けられた「印刷対象変更ボタン」を押下すると、Ｓ８「印刷対象画像を表示部に表示」の処理に進み、画像処理部２１が、ユーザの「印刷対象変更ボタン」の押下に従って、印刷対象画像９２を表示部１０、３６に表示する。つまり、ユーザが、「印刷対象変更ボタン」を押下する度に、表示部１０、３６に表示される印刷対象画像９２が順次変更されるようになっている。なお、Ｓ８の印刷対象を表示部に表示する処理は、図６に示されるフローのＳ４１〜Ｓ４３の処理と同一の処理をする。Ｓ８の処理が終了すると、Ｓ５の操作に進む。
【００５５】
前述したように、Ｓ５の操作において、ユーザが「操作部」に設けられた「印刷ボタン」を押下した場合には、Ｓ１０の処理に進む。Ｓ１０の処理において、画像処理部２１は、表示部１０、３６に表示されている印刷対象画像９２の「画像データ」を記憶部２０から取得し、この「画像データ」を、色変換（ＲＧＢ→ＣＭＹＫ）等の画像処理をして、「印刷画像」を生成する。Ｓ１０の処理が終了すると、Ｓ１１「印刷画像を印刷」の処理に進む。
【００５６】
Ｓ１１の処理において、画像処理部２１は、「印刷画像」を印刷部１２に出力する。そして、印刷部１２が「印刷画像」を印刷して、一連の処理が終了する。
【００５７】
（プレビュー表示印刷の説明）
図８にプレビュー表示印刷の説明図を示し、図９にプレビュー表示印刷のフロー図を示して、プレビュー表示印刷の説明をする。第１の実施形態では、表示部１０、３６に印刷対象９１を表示させるだけでなく、図８に示されるように、表示部１０、３６に印刷プレビュー９３を表示させて、この印刷プレビュー９３を確認して印刷することも可能である。
【００５８】
ユーザが、図６のＳ５の操作において、「操作部」を操作することにより、プレビュー表示印刷処理が開始してＳ２１「画像データを取得」の処理に進む。
【００５９】
Ｓ２１の処理において、画像処理部２１は、ユーザの操作により、記憶部２０に保存されている印刷対象画像９２の「画像データ」を取得する。Ｓ２１の処理が終了すると、Ｓ２２「画像データから印刷プレビューを生成」の処理に進む。
【００６０】
Ｓ２２の処理において、画像処理部２１は、現在の「印刷設定」に基づいて「画像データ」を画像処理して、印刷プレビュー９３を生成する。「印刷設定」には、余白の長さ、画像の表示位置、画像の拡大縮小率、用紙サイズ、カラー印刷又はモノクロ印刷等の「印刷設定項目」が含まれ、ユーザが「操作部」を操作することにより、これらの「印刷設定項目」を任意に変更することができるようになっている。Ｓ２２の処理が終了すると、Ｓ２３「印刷プレビューを表示部に表示」の処理に進む。
【００６１】
Ｓ２３の処理において、画像処理部２１は、Ｓ２２の処理で生成した印刷プレビュー９３を、表示部１０、３６に出力して、表示部１０、３６に印刷プレビュー９３を表示させる。Ｓ２３の処理が終了すると、Ｓ２４「印刷キャンセルボタン押下」の操作に進む。
【００６２】
Ｓ２４の操作において、ユーザが「印刷キャンセルボタン」を押下した場合には、Ｓ２９「キャンセル終了」に進み、印刷処理が終了する。一方で、Ｓ２３の操作において、ユーザが、「印刷キャンセルボタン」を押下しない場合には、Ｓ２５「印刷ボタン押下」の操作に進む。
【００６３】
Ｓ２５の操作において、ユーザが「印刷ボタン」を押下した場合には、Ｓ２６「印刷画像を生成」の処理に進む。Ｓ２６の処理において、画像処理部２１は、印刷プレビューが生成された「画像データ」を、前記「印刷設定」に基づき、画像処理をして「印刷データ」を生成する。Ｓ２６の処理が終了すると、Ｓ２７「印刷画像を印刷」の処理に進む。
【００６４】
Ｓ２７の処理において、画像処理部２１は、Ｓ２６の処理で生成された「印刷データ」を、印刷部１２に出力する。そして、印刷部１２が「印刷データ」を印刷して、プレビュー表示印刷処理が終了する。
【００６５】
なお、プレビュー表示印刷処理で、プレビューして印刷する「画像データ」には、表示部１０、３６で表示される印刷対象画像９２だけでなく、図８に示されるように、投影部８０に投影されている投影画像９１の「画像データ」も含まれる。ユーザが「操作部」を操作することにより、プレビュー表示印刷処理でプレビューして印刷する「画像データ」を、投影画像９１及び印刷対象画像９２から選択できるようになっている。
【００６６】
（第２の実施形態）
図１０に第２の実施形態の説明図を示し、図１１に第２の実施形態のフロー図を示し、以下、第２の実施形態について説明をする。この第２の実施形態は、記憶部２０に保存された１又は複数の「画像データ」を、投影面８０にサムネイル表示９４（縮小表示させた見本）し、このサムネイル表示９４されたいずれか１の「画像データ」を表示部１０、３６に表示して、表示部１０、３６に表示された「画像データ」を印刷する実施形態である。
【００６７】
図１１のフローにおいて、「画像データ」をサムネイル表示し、「画像データ」を印刷する処理が開始すると、Ｓ１０１「サムネイルリスト作成」の処理に進む。このＳ１０１の処理のフローを図１２に示す。図１２のフローにおいて、サムネイルリスト作成処理が開始されると、Ｓ１１１「未取得画像データ有り」の判断に進む。
【００６８】
Ｓ１１１の判断において、画像処理部２１は、記憶部２０に「未取得の画像データ」（画像処理部２１が記憶部２０から未だ取得していない「画像データ」）が保存されているか否かの判断をする。Ｓ１１１の判断において、画像処理部２１が、記憶部２０に「未取得の画像データ」が保存されていると判断した場合には、Ｓ１１２「画像データを取得」の処理に進む。
【００６９】
Ｓ１１２の処理において、画像処理部２１は、記憶部２０に保存された「画像データ」を取得する。Ｓ１１２の処理が終了すると、Ｓ１１３「縮小画像生成」の処理に進む。
【００７０】
Ｓ１１３の処理において、画像処理部２１は、Ｓ１１２の処理で取得した「画像データ」を画像処理して、「縮小画像」を生成する。Ｓ１１３の処理が終了すると、Ｓ１１４「サムネイルリストを生成」の処理に進む。
【００７１】
Ｓ１１４の処理において、画像処理部２１は、Ｓ１１３の処理で生成した「縮小画像」を、一定の領域に並列して配置する画像処理を行い、「サムネイルリスト」のデータを生成する。Ｓ１１４の処理が終了すると、Ｓ１１５「サムネイルリストをＲＡＭの投影用領域に書き込み」の処理に進む。
【００７２】
Ｓ１１５の処理において、画像処理部２１は、「サムネイルリスト」のデータをＲＡＭ１８の「投影用領域」に書き込む。Ｓ１１５の処理が終了すると、Ｓ１１１の判断に進む。
【００７３】
Ｓ１１１の判断において、画像処理部２１が、記憶部２０に「未取得の画像データ」が保存されていないと判断した場合には、Ｓ１１６「サムネイルリスト作成処理終了」に進み、サムネイルリスト生成処理が終了し、図１１のＳ１０２「サムネイルリストを投影」の処理に進む。
【００７４】
Ｓ１０２の処理において、画像処理部２１は、ＲＡＭ１８の投影用領域からＳ１１５の処理で書き込まれた「サムネイルリスト」のデータを読み出して、投影部１１に出力して、サムネイルリスト９５を投影面８０に投影させる。Ｓ１０２の処理が終了すると、Ｓ１０３「印刷対象画像を表示部に表示」の処理に進む。
【００７５】
Ｓ１０３の処理において、画像処理部２１は、図６のＳ４１からＳ４３の処理を実行して、表示部１０、３６にサムネイル表示された「画像データ」を印刷対象画像９２として表示する。なお、表示部１０、３６に表示される印刷対象画像９２は、「サムネイルリスト」の最初の画像（例えば、左上）である。Ｓ１０３の処理が終了すると、Ｓ１０４「印刷ボタン押下」の操作に進む。
【００７６】
Ｓ１０４の操作において、ユーザが、「印刷ボタン」を押下しない場合には、Ｓ１０５「印刷キャンセルボタン押下」の操作に進む。一方で、Ｓ１０４の操作において、ユーザが、「印刷ボタン」を押下した場合には、Ｓ１１１「印刷画像を生成」の処理に進む。
【００７７】
Ｓ１０５の操作において、ユーザが、「印刷キャンセルボタン」を押下しない場合には、Ｓ１０６「印刷対象画像変更」の操作に進む。一方で、ユーザが、「印刷キャンセルボタン」を押下した場合には、Ｓ１１０「キャンセル終了」に進み、印刷処理が終了する。
【００７８】
Ｓ１０６の操作において、ユーザが、印刷対象画像９２を変更するための「印刷対象変更ボタン」を押下すると、Ｓ１０７「入力元がリモートコントローラ」の判断から、Ｓ１０９「印刷対象画像を表示部に表示」の処理に進み、画像処理部２１が、ユーザの「印刷対象変更ボタン」の押下に従って、印刷対象画像９２を表示部１０、３６に表示する。つまり、ユーザが、「印刷対象変更ボタン」を押下する度に、表示部１０、３６に表示される印刷対象画像９２が順次変更されるようになっている。なお、Ｓ１０９の印刷対象を表示部に表示する処理は、図７に示されるフローのＳ４１〜Ｓ４３の処理と同一の処理をする。
【００７９】
Ｓ１０７の判断において、「印刷対象変更ボタン」の入力元がリモートコントローラ３０によるものである場合には、Ｓ１０８「操作パネルの入力コードに変換」の処理に進む。
【００８０】
Ｓ１０８の処理において、ＣＰＵ１７が、赤外線受信部２７で受信した、リモートコントローラ３０からの「コード」を同等の意味をもつ操作パネル１３の「入力コード」に変換して、画像処理部２１に入力する。
【００８１】
Ｓ１０９の処理が終了すると、Ｓ１０４の操作に進む。Ｓ１０４の操作で、ユーザが、「印刷ボタン」を押下した場合には、Ｓ１１１の処理に進む。
【００８２】
Ｓ１１１の処理において、画像生成部２１は、表示部１０、３６に表示されている「印刷対象」の「画像データ」を記憶部２０から取得し、この「画像データ」を画像処理して「印刷画像」を生成する。Ｓ１１１の処理が終了すると、Ｓ１１２「印刷画像を印刷」の処理に進む。
【００８３】
Ｓ１１２の処理において、画像処理部２１は、「印刷画像」を印刷部１２に出力する。そして、印刷部２１が「印刷画像」を印刷して、一連の処理が終了する。
【００８４】
なお、この第２の実施形態においても、ユーザが、「操作部」を操作することにより、表示部１０、３６に印刷プレビュー９３を表示させ、この印刷プレビュー９３を確認して印刷することが可能である。この場合には、図１１のＳ１０４からＳ１１１の操作及び処理は、図９に示されるＳ２１〜Ｓ２７の処理と同一である。
【００８５】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う印刷機能付きプロジェクタもまた技術的範囲に包含されるものとして理解されなければならない。
【図面の簡単な説明】
【００８６】
【図１】本発明の実施の形態を示す印刷機能付きプロジェクタの斜視図である。
【図２】本発明の実施の形態を示す印刷機能付きプロジェクタのブロック図である。
【図３】リモートコントローラの斜視図である。
【図４】印刷機能付きプロジェクタ本体とリモートコントローラとの送受信の説明図である。
【図５】第１の実施形態の説明図である。
【図６】第１の実施形態のフロー図である。
【図７】印刷対象を表示部に表示するフロー図である。
【図８】プレビュー表示印刷の説明図である。
【図９】プレビュー表示印刷のフロー図である。
【図１０】第２の実施形態の説明図である。
【図１１】第２の実施形態のフロー図である。
【図１２】サムネイルリスト作成処理のフロー図である。
【符号の説明】
【００８７】
１      印刷機能付きプロジェクタ本体
１０    表示部
１１    投影部
１２    印刷部
１３    操作パネル
１５    投影画像入力部
１６    外部記憶接続部
１７    ＣＰＵ
１８    ＲＡＭ
１９    ＲＯＭ
２０    記憶部
２１    画像処理部
２６    赤外線送信部
２７    赤外線受信部
３０    リモートコントローラ
３１    ＣＰＵ
３２    ＲＯＭ
３３    ＲＡＭ
３４    記憶部
３６    表示部
３７    操作ボタン
３８    赤外線受光部
３９    赤外線送信部
５０    コンピュータ装置
５１    ＭＭＣ
５２    ＳＤメモリーカード
８０    投影面
９１    投影画像
９２    印刷対象画像
９３    印刷プレビュー
９４    サムネイル表示
９５    サムネイルリスト
【図１】
2008275714.tif 000003
【図２】
2008275714.tif 000004
【図３】
2008275714.tif 000005
【図４】
2008275714.tif 000006
【図５】
2008275714.tif 000007
【図６】
2008275714.tif 000008
【図７】
2008275714.tif 000009
【図８】
2008275714.tif 000010
【図９】
2008275714.tif 000011
【図１０】
2008275714.tif 000012
【図１１】
2008275714.tif 000013
【図１２】
2008275714.tif 000014